(57)【要約】      （修正有）【課題】通過する光の輝度特性をさらに向上させた集光部材を提供する。【解決手段】集光部材８０は厚さを有する板状のボディー部８１と、ボディー部８１上に形成され、第１方向及び当該第１方向と交差する第２方向に各々配列された複数の単位集光部８２とを含む。ここで、第１方向は前記単位集光部８２の長さ方向であり、前記第２方向は前記単位集光部８２の幅方向である。また、複数の単位集光部８２の中で、前記第１方向に沿って配列された単位集光部８２は非集光領域８６を間において互いに離隔されてもよい。【選択図】図１
2007025677.tif 000002
【特許請求の範囲】
【請求項１】
厚さを有する板状のボディー部と、
前記ボディー部上に形成され、第１方向及び当該第１方向と交差する第２方向に各々配列された複数の単位集光部と、を含む集光部材。
【請求項２】
前記第１方向は前記単位集光部の長さ方向であり、前記第２方向は前記単位集光部の幅方向である、請求項１に記載の集光部材。
【請求項３】
前記ボディー部の厚さは１〜５ｍｍである、請求項１に記載の集光部材。
【請求項４】
前記単位集光部の長さは３００μｍ以下である、請求項２に記載の集光部材。
【請求項５】
前記複数の単位集光部の中で、前記第１方向に沿って配列された単位集光部は非集光領域を介して互いに離隔されている、請求項２に記載の集光部材。
【請求項６】
前記複数の単位集光部は異なる長さを有する、請求項５に記載の集光部材。
【請求項７】
前記複数の非集光領域は異なる大きさを有するように形成されている、請求項５に記載の集光部材。
【請求項８】
前記非集光領域の面積は３００〜８００００μｍ２である、請求項５に記載の集光部材。
【請求項９】
前記非集光領域は断面が不規則に形成されている、請求項５に記載の集光部材。
【請求項１０】
前記複数の単位集光部の中で、前記第１方向に沿って配列された単位集光部は前記第２方向に延長された任意の線を境界にずれて配列されている、請求項２に記載の集光部材。
【請求項１１】
前記単位集光部の高さ及び幅が前記第１方向の両端に向かって次第に減少する、請求項２に記載の集光部材。
【請求項１２】
前記第１方向に沿って配列される単位集光部は、前記第２方向においては一部重複して配列されている、請求項１１に記載の集光部材。
【請求項１３】
前記単位集光部は、前記第１方向の両端が対向するように曲がっている、請求項１２に記載の集光部材。
【請求項１４】
前記単位集光部の前記第２方向の断面は多角形またはラウンド形である、請求項２に記載の集光部材。
【請求項１５】
光を発生する光源ユニットと、
前記光源ユニットから射出された光が通過する集光部材と、
前記光源ユニット及び前記集光部材を支持する支持部材と、を含み、
前記集光部材は、
厚さを有する板状のボディー部と、
前記ボディー部の板面の中で一つ以上の板面に形成され、第１方向及び当該第１方向と交差する第２方向に各々配列された複数の単位集光部と、を含むバックライトアセンブリー。
【請求項１６】
前記第１方向は前記単位集光部の長さ方向であり、前記第２方向は前記単位集光部の幅方向である、請求項１５に記載のバックライトアセンブリー。
【請求項１７】
前記ボディー部の厚さは１〜５ｍｍである、請求項１５に記載のバックライトアセンブリー。
【請求項１８】
前記複数の単位集光部の中で、前記第１方向に沿って配列された単位集光部は非集光領域を介して互いに離隔されている、請求項１６に記載のバックライトアセンブリー。
【請求項１９】
前記複数の単位集光部は異なる長さを有する、請求項１８に記載のバックライトアセンブリー。
【請求項２０】
前記複数の非集光領域は異なる大きさを有するように形成されている、請求項１８に記載のバックライトアセンブリー。
【請求項２１】
前記非集光領域は断面が不規則に形成されている、請求項１８に記載のバックライトアセンブリー。
【請求項２２】
前記複数の単位集光部の中で、前記第１方向に沿って配列された単位集光部は前記第２方向に延長された任意の線を境界にずれて配列されている、請求項１６に記載のバックライトアセンブリー。
【請求項２３】
前記単位集光部の高さ及び幅が前記第１方向の両端に向かって次第に減少する、請求項１６に記載のバックライトアセンブリー。
【請求項２４】
前記第１方向に沿って配列される単位集光部は、前記第２方向においては一部重複して配列されている、請求項２３に記載のバックライトアセンブリー。
【請求項２５】
前記単位集光部は、前記第１方向の両端が対向するように曲がっている、請求項２４に記載のバックライトアセンブリー。
【請求項２６】
前記単位集光部の前記第２方向の断面は多角形またはラウンド形である、請求項１６に記載のバックライトアセンブリー。
【請求項２７】
前記光源ユニットは光が射出される複数のチャンネル部を有する面光源ユニットである、請求項１５に記載のバックライトアセンブリー。
【請求項２８】
画像を表示するパネルアセンブリーと、
前記パネルアセンブリーに光を供給する光源ユニットと、
前記パネルアセンブリーと前記光源ユニットとの間に配置された集光部材と、
前記パネルアセンブリー、光源ユニット、及び集光部材を固定支持する支持部材と、を含み、
前記集光部材は、
厚さを有する板状のボディー部と、前記ボディー部の板面の中で一つ以上の板面に形成され、第１方向及び当該第１方向と交差する第２方向に各々配列された複数の単位集光部と、を含む表示装置。
【請求項２９】
前記第１方向は前記単位集光部の長さ方向であり、前記第２方向は前記単位集光部の幅方向である、請求項２８に記載の表示装置。
【請求項３０】
前記ボディー部の厚さは１〜５ｍｍである、請求項２８に記載の表示装置。
【請求項３１】
前記複数の単位集光部の中で、前記第１方向に沿って配列された単位集光部は非集光領域を介して互いに離隔されている、請求項２９に記載の表示装置。
【請求項３２】
前記複数の単位集光部は異なる長さを有する、請求項３１に記載の表示装置。
【請求項３３】
前記複数の非集光領域は異なる大きさを有するように形成されている、請求項３１に記載の表示装置。
【請求項３４】
前記非集光領域は断面が不規則に形成されている、請求項３１に記載の表示装置。
【請求項３５】
前記複数の単位集光部の中で、前記第１方向に沿って配列された単位集光部は前記第２方向に延長された任意の線を境界にずれて配列されている、請求項２９に記載の表示装置。
【請求項３６】
前記単位集光部の高さ及び幅が前記第１方向の両端に向かって次第に減少する、請求項２９に記載の表示装置。
【請求項３７】
前記第１方向に沿って配列される単位集光部は、前記第２方向においては一部重複して配列されている、請求項３６に記載の表示装置。
【請求項３８】
前記単位集光部は、前記第１方向の両端が対向するように曲がっている、請求項３７に記載の表示装置。
【請求項３９】
前記単位集光部の第２方向の断面は多角形またはラウンド形である、請求項２９に記載の表示装置。
【請求項４０】
前記光源ユニットは光が射出される複数のチャンネル部を有する面光源ユニットである、請求項２８に記載の表示装置。
【発明の詳細な説明】
【技術分野】
【０００１】
本発明は、集光部材、これを備えたバックライトアセンブリー、及びこれを備えた表示装置に関し、より詳しくは、通過する光の輝度特性をさらに向上させた集光部材、これを備えたバックライトアセンブリー、及びこれを備えた表示装置に関する。
【背景技術】
【０００２】
表示装置には多様な種類があり、その中でも急速に発展している半導体技術を中心に小型化及び軽量化されて性能がさらに向上した液晶表示装置が代表的な表示装置として知られている。
【０００３】
液晶表示装置は、小型化、軽量化、及び低電力消費化などの利点を持っていて、既存のブラウン管（ｃａｔｈｏｄｅ  ｒａｙ  ｔｕｂｅ：ＣＲＴ）の短所が克服できる代替手段として次第に注目されてきており、現在は、表示装置を必要とする携帯電話及びＰＤＡなどのような小型製品だけでなく、重大型製品であるモニター及びテレビなどにも装着され使用される等、表示装置が必要なほとんど全ての情報処理機器に装着され使用されている。
【０００４】
一般的な液晶表示装置は液晶の特定の分子配列に電圧を印加して他の分子配列に変換し、このような分子配列によって発光する液晶セルの複屈折性、旋光性、２色性、及び光散乱特性などの光学的性質の変化を見解変化に変換することにより、液晶セルによる光の変調を利用して情報を表示する受光型表示装置である。
【０００５】
液晶表示装置は自ら発光できない受光型表示パネルを使用するので、表示パネルの背面に光を供給するバックライトアセンブリーを備えている。
【０００６】
バックライトアセンブリーは管型の冷陰極蛍光ランプ（ｃｏｌｄ  ｃａｔｈｏｄｅ  ｆｌｕｏｒｅｓｃｅｎｔｌａｍｐ：ＣＣＦＬ）または外部電極蛍光ランプ（ｅｘｔｅｒｎａｌ  ｅｌｅｃｔｒｏｄｅ  ｆｌｕｏｒｅｓｃｅｎｔ  ｌａｍｐ、ＥＥＦＬ）等のようなランプを光源として使用したり、均一な出射光が確保できる面光源形態の光源を使用することもでき、高輝度の長所を有する発光ダイオード（ＬＥＤ）を光源として使用したりしている。
【０００７】
また、バックライトアセンブリーは光源から射出した光の輝度特性を向上させるために、液晶表示パネルと光源との間に配置された板状の集光部材を含むことができる。集光部材は通過される光を集中させ輝度を向上させる役割を果たすが、集光部材が有するプリズムパターンによって集光部材を通過して液晶表示パネルに到達する光に輝線が発生することがある。このような輝線の発生は、光源と集光部材を輝線が認知されない最適の隔離距離をおいて配置することで防止することができる。
【０００８】
しかし、集光部材が外部の衝撃によって自分の位置から外れたり、高温及び高湿の環境に長期間露出されて集光部材が曲がったり、捩れたりする変形が発生することがあり、この時、光源からの適正な隔離距離から集光部材が少なくとも部分的に逸脱する。したがって、集光部材を通過して液晶表示パネルに到達する光に輝線が生じる問題点が発生し、表示装置の外形品質の不良をもたらす。
【発明の開示】
【発明が解決しようとする課題】
【０００９】
そこで、本発明は上述した問題点を解決するためのものであって、その目的は、通過する光の輝度特性をさらに向上させた集光部材を提供することにある。
【００１０】
また、本発明の他の目的は、上記集光部材を備えたバックライトアセンブリーを提供することにある。
【００１１】
また、本発明のさらに他の目的は、上記バックライトアセンブリーを備えた表示装置を提供することにある。
【課題を解決するための手段】
【００１２】
上述した目的を達成するための本発明による集光部材は、厚さを有する板状のボディー部と、前記ボディー部上に形成され、第１方向及び当該第１方向と交差する第２方向に各々配列された複数の単位集光部と、を含む。
【００１３】
ここで、前記第１方向は前記単位集光部の長さ方向であり、前記第２方向は前記単位集光部の幅方向であることが好ましい。
【００１４】
また、前記ボディー部の厚さは１〜５ｍｍであるのが好ましい。
【００１５】
前記単位集光部の長さは３００μｍ以下であるのが好ましい。
【００１６】
前記複数の単位集光部の中で、前記第１方向に沿って配列された単位集光部は非集光領域を介して互いに離隔されてもよい。
【００１７】
ここで、前記複数の単位集光部は異なる長さを有し、前記複数の非集光領域は異なる大きさを有するように形成することができる。
【００１８】
前記非集光領域の面積は３００〜８００００μｍ２であるのが好ましい。
【００１９】
また、前記非集光領域は断面が不規則に形成されることが好ましい。
【００２０】
前記複数の単位集光部の中で、前記第１方向に沿って配列された単位集光部は、前記第２方向に延長された任意の線を境界にずれるように配列することができる。
【００２１】
また、前記単位集光部の高さ及び幅が前記第１方向の両端に向かって次第に減少することができる。
【００２２】
ここで、前記第１方向に沿って配列される単位集光部は、前記第２方向においては一部重複するように配列されることが好ましい。
【００２３】
なお、前記単位集光部は、前記第１方向の両端が対向するように曲がることができる。
【００２４】
前記単位集光部の第２方向の断面は多角形またはラウンド形であるのが好ましい。
【００２５】
本発明によるバックライトアセンブリーは、光を発生する光源ユニットと、前記光源ユニットから射出した光が通過する集光部材と、前記光源ユニット及び前記集光部材を支持する支持部材と、を含み、前記集光部材は、厚さを有する板状のボディー部と、前記ボディー部の板面の中で一つ以上の板面に形成され、第１方向及び当該第１方向と交差する第２方向に各々配列された複数の単位集光部と、を含む。
【００２６】
ここで、前記第１方向は前記単位集光部の長さ方向であり、前記第２方向は前記単位集光部の幅方向であるのが好ましい。
【００２７】
また、前記ボディー部の厚さは１〜５ｍｍであるのが好ましい。
【００２８】
前記複数の単位集光部の中で、前記第１方向に沿って配列された単位集光部は非集光領域を介して互いに離隔されてもよい。
【００２９】
前記複数の単位集光部は異なる長さを有し、前記複数の非集光領域は異なる大きさを有するように形成されてもよい。
【００３０】
前記非集光領域は断面が不規則に形成されることが好ましい。
【００３１】
前記複数の単位集光部の中で、前記第１方向に沿って配列された前記単位集光部は前記第２方向に延長された任意の線を境界にずるように配列することができる。
【００３２】
前記単位集光部の高さ及び幅が前記第１方向の両端に向かって次第に減少することができる。
【００３３】
ここで、前記第１方向に沿って配列される単位集光部は、前記第２方向をおいては一部重複するように配列されることが好ましい。
【００３４】
また、前記単位集光部は、前記第１方向の両端が対向するように曲がることができる。
【００３５】
前記単位集光部の第２方向による断面は多角形またはラウンド形であるのが好ましい。
【００３６】
前記光源ユニットは光が射出する複数のチャンネル部を有する面光源ユニットであるのが好ましい。
【００３７】
本発明による表示装置は、画像を表示するパネルアセンブリーと、前記パネルアセンブリーに光を供給する光源ユニットと、前記パネルアセンブリーと前記光源ユニットとの間に配置された集光部材と、前記パネルアセンブリー、光源ユニット、及び集光部材を固定支持する支持部材と、を含み、前記集光部材は、厚さを有する板状のボディー部と、前記ボディー部の板面の中で一つ以上の板面に形成され、第１方向及び前記第１方向と交差する第２方向に各々配列された複数の単位集光部と、を含む。
【００３８】
ここで、前記第１方向は前記単位集光部の長さ方向であり、前記第２方向は前記単位集光部の幅方向であるのが好ましい。
【００３９】
また、前記ボディー部の厚さは１〜５ｍｍであるのが好ましい。
【００４０】
前記複数の単位集光部の中で、前記第１方向に沿って配列された単位集光部は非集光領域を間において互いに離隔されてもよい。
【００４１】
前記複数の単位集光部は異なる長さを有し、前記複数の非集光領域は異なる大きさを有するように形成されてもよい。
【００４２】
前記非集光領域は断面が不規則に形成されることが好ましい。
【００４３】
前記複数の単位集光部の中で、前記第１方向に沿って配列された前記単位集光部は前記第２方向に延長された任意の線を境界にずれるように配列することができる。
【００４４】
前記単位集光部の高さ及び幅が前記第１方向の両端に向かって次第に減少することができる。
【００４５】
ここで、前記第１方向に沿って配列される単位集光部は、前記第２方向においては一部重複するように配列されることが好ましい。
【００４６】
また、前記単位集光部は、前記第１方向の両端が対向するように曲がることができる。
【００４７】
前記単位集光部の第２方向の断面は多角形またはラウンド形であるのが好ましい。
【００４８】
前記光源ユニットは光が射出する複数のチャンネル部を有する面光源ユニットであるのが好ましい。
【発明の効果】
【００４９】
本発明によれば、通過する光の輝度特性をさらに向上させた集光部材を提供することができる。
【００５０】
集光部材は多様に変形された形状に不規則に配列された単位集光部によって集光部材を通過する光に一定の形態で輝線が生じることを最少化する。したがって、集光部材は通過する光を集中させ輝度を向上させると同時に、通過した光が拡散するのに有利な状態にする。つまり、輝度特性をさらに向上させた光を提供することができる。
【００５１】
また、単位集光部がラウンド形または多角形の断面を有するように形成すれば、輝度の向上と共に視野角を向上させることができる。
【００５２】
また、本発明によれば、上記集光部材を備えたバックライトアセンブリーを提供することができる。
【００５３】
したがって、集光部材は光源ユニットから射出された一定の像を有する光が通過されながら、一定の形態の輝線が生じることを不規則に配列された単位集光部で最大限に抑制する。
【００５４】
また、光源ユニットと集光部材の適正な離隔距離の範囲を広めることができる。つまり、光源ユニットと集光部材の適正な離隔距離範囲のマージン幅を広めることができる。
【００５５】
また、本発明によれば、上記バックライトアセンブリーを備えた表示装置を提供することができる。
【００５６】
したがって、パネルアセンブリーに到達する光を最大限に均一に供給して表示装置の外観品質を向上させることができる。
【発明を実施するための最良の形態】
【００５７】
以下、添付図面を参照して、本発明の実施の形態による集光部材、これを備えたバックライトアセンブリー、及びこれを備えた表示装置を説明する。このような本発明の実施の形態は単に本発明を例示するためのものであり、本発明がこれに限定されるわけではない。
【００５８】
なお、本発明を明確に説明するために説明上不要な部分は省略しており、明細書全体にわたって同一または類似な構成要素については同一な参照符号を付けた。
【００５９】
また、多様な実施の形態において同一な構成を有する構成要素については同一な参照符号を使用して代表的に第１の実施の形態で説明し、その他の実施の形態では第１の実施の形態と異なる構成についてのみ説明する。
【００６０】
図１は本発明の第１の実施の形態による集光部材８０を概略的に示しており、図２及び図３は集光部材の変形された形状を示しており、図４は集光部材８０における単位集光部８２のパターンを具体的に示している。図１に示した集光部材８０の単位集光部８２は、説明の便宜のために大きさを拡大して示した。
【００６１】
図１に示したように、集光部材８０は板状のボディー部８１と、ボディー部８１上に形成され、第１方向（Ｘ軸方向）及び第１方向と交差する第２方向（Ｙ軸方向）に各々配列された複数の単位集光部８２とを含む。ここで、第１方向は単位集光部８２の長さ方向であり、第２方向は単位集光部８２の幅方向になる。図１において、単位集光部８２が形成されたボディー部８１の板面は、集光部材８０を光が通過して射出される面である。なお、単位集光部８２は、ボディー部８１の板面の片面のみならず、両面に形成されてもよい。
【００６２】
ボディー部８１は１〜５ｍｍの厚さを有する。つまり、本実施の形態による集光部材８０は薄いシート形状でなく、前記厚さを有する板状の部材である。ボディー部８１の厚さが１ｍｍ未満であれば、集光部材８０が曲がって部分的に所望の集光効果を得ることができず、５ｍｍを超えれば、集光部材８０を通過する光の透過率が落ちて光の損失をもたらす。
【００６３】
単位集光部８２は断面が三角形に形成される。集光部材８０に含まれた複数の単位集光部８２の中で、第１方向に沿って配列された単位集光部８２は非集光領域８６を介して互いに離隔して配列される。単位集光部８２は３００μｍ以下の長さを有するように形成され、非集光領域８６の面積は３００〜８００００μｍ２である。これは単位集光部８２の長さが３００μｍを超えて長くなったり、非集光領域８６の面積が３００μｍ２未満に小さくなったりすれば、非集光領域８６を介して単位集光部８２を離隔して配置することで示される効果が減少するためである。そして、非集光領域８６の面積が８００００μｍ２を超えて大きくなれば、集光部材８０で得られる輝度上昇の効果が低下する。
【００６４】
図１の拡大円にはＹ軸方向から非集光領域を見た状態を拡大して示す。非集光領域８６は断面が不規則に形成されて表面粗度を有する。表面粗度が低くなるほど正面での輝度、つまり、視野角０での輝度は高くなり、表面粗度が高いほど正面での輝度は低くなるが、光が分散及び拡散される。
【００６５】
また、図１において、単位集光部８２は断面が三角形に形成されているが、これは単に本発明を例示するためのもので、本発明がこれに制限されるわけではない。したがって、図２及び図３に示したように、単位集光部８２の第２方向に沿った断面はラウンド形及び多角形の中でいずれか一つ以上の形状を有するように多様に変更できる。このように、単位集光部８２がラウンド形または多角形の断面を有するように形成すれば、輝度の向上と共に視野角を向上させることができる長所がある。
【００６６】
次に、図４を参照して集光部材８０に形成された単位集光部８２と非集光領域８６のパターンについて詳細に説明する。図４の参照符号８２１は単位集光部８２の頂上部を示す。
【００６７】
図４に示したように、複数の単位集光部８２は各々多様な長さを有するように形成され、非集光領域８６もやはり多様な大きさを有するように形成される。図４には非集光領域８６が矩形の平面形状に形成されたが、本発明はこれに限定されず、多角形、円形、及び楕円形の中で一つ以上の平面形状に多様に形成することができる。よって、単位集光部８２の長さ方向の端部も多様な形状に形成することができる。
【００６８】
つまり、本発明の第１の実施の形態では、各々ランダムな長さを有する複数の単位集光部８２がランダムに形成された非集光領域８６を間に置いて第１方向に沿って配列される。
【００６９】
このように、不規則な非集光領域８６を間に置いて、不規則な長さを有する単位集光部８２が配列されることによって、集光部材８０を通過する光に一定な形態で輝線が生じることを最少化することができる。したがって、集光部材８０は通過する光を集中させて輝度を向上させると共に、通過した光が拡散するのに有利な状態にする。つまり、輝度特性をさらに向上させた光を提供することができる。
【００７０】
図５は図１の集光部材８０を備えたバックライトアセンブリー７０を示す。図５にはバックライトアセンブリー７０に使用された光源ユニット７６として面光源ユニットを示したが、これは単に本発明を例示するためのもので、本発明がこれに限られるわけではない。つまり、面光源ユニットの代わりに管型のランプまたはその他の発光素子を光源として使用してもよい。
【００７１】
図５に示したように、本発明の第１の実施の形態によるバックライトアセンブリー７０は、第１支持部材７１及び第２支持部材７５と、これらの間の収納空間に配置される光源ユニット７６と、集光部材８０と、光学シート類７２と、反射シート７８と、を含む。
【００７２】
図５には、第１支持部材７１及び第２支持部材７５を全て使用する例を示したが、これは単に本発明を例示するためのもので、本発明がこれに限られるわけではない。つまり、第１支持部材７１及び第２支持部材７５のうち一つの支持部材のみ使用してもよい。
【００７３】
光源ユニット７６としては、光が射出される複数のチャンネル部７６１を有する面光源ユニットが使用される。面光源ユニットのチャンネル部７６１は放電空間を形成し、放電空間に充填された放電ガスが放電し蛍光体を発光させる。ここで、チャンネル部７６１は半分に分けられた円筒の形状に形成される。したがって、面光源ユニットから射出される光は、チャンネル部７６１の形状に影響を受けて一定の像を有する。
【００７４】
集光部材８０は光源ユニット７６から射出された一定の像を有する光が通過されながら、一定の形態の輝線が生じることを不規則に配列された単位集光部８２で最少化する。
【００７５】
また、光源ユニット７６と集光部材８０との適正な離隔距離の範囲を広められることができる。光源ユニット７６と集光部材８０との離隔距離が適正な範囲を逸脱すれば、集光部材８０を通過した光に輝線は明確に生じる。本実施の形態による集光部材８０は通過した光に輝線が生じることを最大限に抑制するので、光源ユニット７６と集光部材８０との適正な離隔距離範囲のマージン幅を広めることができる。したがって、集光部材８０が外部からの衝撃によって初期位置からずれたり、高温及び高湿の環境に長期間露出されて集光部材８０が曲がったり、捩れたりする変形が起こった時にも、集光部材８０の少なくとも一部分が光源ユニット７６との適正な離隔距離の範囲から一脱することを最大限に防止することができる。
【００７６】
光学シート類７２は、集光部材８０を通過した光が部分的に密集されないようにさらに拡散させて均一性を向上させる拡散シートと、拡散シートを通過した光が垂直に進められるようにして輝度を向上させるプリズムシートとを含む。また、光学シート類７２は埃及びすり傷などに敏感な拡散シート及びプリズムシートを保護して、外部からの衝撃及び異物の流入などを防止する保護シートをさらに含むことができる。
【００７７】
反射シート７８は第２支持部材７５と光源ユニット７６との間に配置されて、光源ユニット７６から射出された光が全て前面方向に向かうように反射させて光の損失を減らし、光の拡散を助けて光の均一性を向上させるのに寄与する。このような反射シート７８は光源ユニット７６の種類によって省略されてもよい。特に、光源ユニット７６として内部に反射層を備えた面光源ユニットを使用する時には省略できる。
【００７８】
図６は、図５のバックライトアセンブリー７０を備えた表示装置１００を示す。
【００７９】
図６には、表示装置１００に使用されたパネルアセンブリー５０の実施の形態として液晶表示パネルを示したが、これは単に本発明を例示するためのもので、本発明がこれに限定されるわけではなく、他の種類の受光型表示パネルを使用してもよい。
【００８０】
図６に示したように、本発明の第１の実施の形態による表示装置１００は、光を供給するバックライトアセンブリー７０と、光の提供を受けて画像を表示するパネルアセンブリー５０と、を含む。その他に、表示装置１００はパネルアセンブリー５０をバックライトアセンブリー７０上に固定して支持する第３支持部材６０を含む。
【００８１】
また、表示装置１００は、パネルアセンブリー５０に駆動信号を供給する駆動印刷回路基板４１，４２及び駆動印刷回路基板４１，４２とパネルアセンブリー５０とを電気的に連結する駆動ＩＣパッケージ４３，４４をさらに含む。駆動ＩＣパッケージ４３，４４はＣＯＦ（ｃｈｉｐ  ｏｎ  ｆｉｌｍ）またはＴＣＰ（ｔａｐｅ  ｃａｒｒｉｅｒ  ｐａｃｋａｇｅ）で形成することができる。また、駆動印刷回路基板はゲート駆動印刷回路基板４１及びデータ駆動印刷回路基板４２を含み、駆動ＩＣパッケージはパネルアセンブリー５０とゲート駆動印刷回路基板４１とを連結するゲート駆動ＩＣパッケージ４３と、パネルアセンブリー５０とデータ駆動印刷回路基板４２とを連結するデータ駆動ＩＣパッケージ４４を含む。
【００８２】
パネルアセンブリー５０は、第１表示板５１及び液晶層５２（図８に図示）を介して第１表示板５１と対向配置された第２表示板５３を含む。ここで、第１表示板５１は背面基板、第２表示板５３は前面基板となり、第１表示板５１に駆動ＩＣパッケージ４３，４４が連結される。ゲート駆動ＩＣパッケージ４３は第１表示板５１の一側周縁に付着され、ゲート駆動ＩＣパッケージ４３はゲート駆動部４００（図７に図示）を構成する集積回路チップ４３１を含む。データ駆動ＩＣパッケージ４４は第１表示板５１の他側周縁に付着され、データ駆動ＩＣパッケージ４４はデータ駆動部５００及び階調電圧生成部８００（図７に図示）を構成する集積回路チップ４４１を含む。
【００８３】
次に、図７及び図８を参照して、パネルアセンブリー５０及びこれを駆動させるための構成について詳細に説明する。
【００８４】
図７及び図８に示したように、第１表示板５１は複数の信号ラインＧ１−Ｇｎ，Ｄ１−Ｄｍを含み、第１表示板５１及び第２表示板５３は信号ラインＧ１−Ｇｎ，Ｄ１−Ｄｍに連結されており、ほぼマトリクス形態で配列された複数の画素を含む。
【００８５】
信号ラインＧ１−Ｇｎ，Ｄ１−Ｄｍはゲート信号（“走査信号”とも言う）を伝達する複数のゲートラインＧ１−Ｇｎと、データ信号を伝達する複数のデータラインＤ１−Ｄｍを含む。ゲートラインＧ１−Ｇｎはほぼ行方向に伸びていて互いにほとんど平行しており、データラインＤ１−Ｄｍはほぼ列方向に伸びていて互いにほとんど平行している。
【００８６】
各画素は、信号ラインＧ１−Ｇｎ，Ｄ１−Ｄｍに連結されたスイッチング素子Ｑと、これに連結された液晶キャパシタＣＬＣ及びストレージキャパシタＣＳＴとを含む。ストレージキャパシタＣＳＴは、必要に応じて省略することができる。
【００８７】
スイッチング素子Ｑの一例としては薄膜トランジスタがあり、これは第１表示板５１に形成される。薄膜トランジスタは３個の端子を有する素子で、その制御端子及び入力端子は各々ゲートラインＧ１−Ｇｎ及びデータラインＤ１−Ｄｍに連結されており、出力端子は液晶キャパシタＣＬＣ及びストレージキャパシタＣＳＴに連結されている。
【００８８】
信号制御部６００はゲート駆動部４００及びデータ駆動部５００の動作を制御する。ゲート駆動部４００はゲートオン電圧Ｖｏｎとゲートオフ電圧Ｖｏｆｆの組み合わせからなるゲート信号をゲートラインＧ１−Ｇｎに印加し、データ駆動部５００はデータ電圧をデータラインＤ１−Ｄｍに印加する。階調電圧生成部８００は画素の透過率と関係する二対の複数階調電圧を生成してデータ電圧としてデータ駆動部５００に提供する。二対のうちの一対は共通電圧Ｖｃｏｍに対して正の値を有し、他の一対は負の値を有する。
【００８９】
図８に示したように、液晶キャパシタＣＬＣは第１表示板５１の画素電極５１８と第２表示板５３の共通電極５３９を二つの端子とし、二つの電極５１８，５３９の間の液晶層５２は誘電体として機能する。画素電極５１８はスイッチング素子Ｑに連結され、共通電極５３９は第２表示板５３の全面にわたって形成され、共通電圧Ｖｃｏｍの印加を受ける。図８とは異なって、共通電極５３９が第１表示板５１に備えられる場合もあり、この時には二つの電極５１８，５３９のうちの少なくとも一つが線状または棒状に作られてもよい。また、第２表示板５３上には透過する光に色を付与するカラーフィルター５３５が形成される。図８と異なってカラーフィルター５３５も第１表示板５１上に形成されることができる。
【００９０】
液晶キャパシタＣＬＣの補助的な役割を果たすストレージキャパシタＣＳＴは、第１表示板５１に備えられた別個の信号ライン（図示せず）と画素電極５１８とが絶縁体を介して重なって構成され、この別個の信号ラインには共通電圧Ｖｃｏｍなどの決められた電圧が印加される。しかし、ストレージキャパシタＣＳＴは画素電極５１８が絶縁体を媒介として直上の前段ゲートラインＧ１−Ｇｎと重なって構成されることができる。
【００９１】
パネルアセンブリー５０の両基板５１，５３のうちの少なくとも一つの外側面には光を偏光させる偏光子（図示せず）が付着されている。
【００９２】
このような構成によって、スイッチング素子である薄膜トランジスタが導通すれば、画素電極５１８と共通電極５３９との間に電界が形成される。このような電界によって第１表示板５１と第２表示板５３との間に形成された液晶層５３の液晶配列角が変化し、そのために変更される光透過度によって所望の画像が得られる。
【００９３】
次に、図９を参照して本発明の第２の実施の形態を説明する。図９では、本発明の第２の実施の形態による表示装置に備えられた集光部材８０の単位集光部８２パターンを示す。
【００９４】
図９に示したように、集光部材８０は第１方向及び第１方向と交差する第２方向に各々配列された複数の単位集光部８２を含む。複数の単位集光部８２の中で、第１方向に沿って配列された単位集光部８２は第２方向に延長された任意の線Ａを境界にずれて配列される。したがって、第１方向に隣接する単位集光部８２の頂上部８２１が第２方向にずれて、集光部材８０に形成された単位集光部８２は不規則に配列される。図９で単位集光部の長さは同一に示されたが、これは単に本発明を例示するためで、本発明がこれに限られるわけではない。したがって、単位集光部の長さは異なるように形成されてもよい。
【００９５】
このように、不規則に配列された単位集光部によって集光部材８０を通過する光に一定の形態で輝線が生じることを最少化することができる。したがって、集光部材８０は通過する光を集中させて輝度を向上させると同時に通過した光が拡散するのに有利な状態に作る。つまり、輝度特性をさらに向上させた光を提供することができる。
【００９６】
次に、図１０を参照して本発明による第３の実施の形態を説明する。図１０では、本発明の第３の実施の形態による表示装置に備えられた集光部材９０を示す。図１０に示した集光部材９０の単位集光部９２は、説明の便宜のために大きさを拡大して示した。図１０で参照符号９２１は単位集光部９２の頂上部を示す。
【００９７】
図１０に示したように、集光部材９０は板状のボディー部９１と、ボディー部９１上に形成され、第１方向及び第１方向と交差する第２方向に各々配列された複数の単位集光部９２とを含む。本実施の形態では、単位集光部９２は、その高さと幅が第１方向の両端に向かって次第に減少する。また、複数の単位集光部９２の中で第１方向に沿って配列される単位集光部９２は、第２方向においては一部が重複するように形成される。そして図示していないが、単位集光部９２の間の空間である非集光領域９６は断面が不規則に形成されて表面粗度を有することもできる。また、図１０に示したことと異なって、非集光領域９６が省略されて集光部材９０が形成されてもよい。
【００９８】
このような形状に配列された単位集光部９２により、集光部材９０を通過する光に一定の形態で輝線が生じることを抑制することができる。したがって、集光部材９０は通過する光を集中させ輝度を向上させると同時に、通過した光が拡散するのに有利な状態に作る。つまり、輝度特性をさらに向上させた光を提供することができる。
【００９９】
次に、図１１を参照して、本発明による第４の実施の形態を説明する。図１１では本発明の第４の実施の形態による表示装置に備えられた集光部材９０を示す。図１１に示した集光部材９０の単位集光部９３は、説明の便宜のために大きさを拡大して表現した。図１１で、参照符号９３１は単位集光部９３の頂上部を示す。
【０１００】
図１１に示したように、集光部材９０は板状のボディー部９１と、ボディー部９１上に形成され、第１方向及び第１方向と交差する第２方向に各々配列された複数の単位集光部９３とを含む。本実施の形態では、単位集光部９３は、その高さと幅が第１方向の両端に向かって次第に減少し、第１方向の両端が対向するように曲がってほぼ三日月形状に形成される。また、複数の単位集光部９３の中で第１方向に沿って配列される単位集光部９３は第２方向においては一部が重複するように形成される。そして図示していないが、単位集光部９３の間の空間である非集光領域９６は断面が不規則に形成されて表面粗度を有することもできる。また、図１１に示したことと異なって、非集光領域９６が省略されて集光部材９０が形成されてもよい。
【０１０１】
このような形状に配列された単位集光部９３によって全体的に不規則性が強化されて集光部材９０を通過する光に一定の形態で輝線が生じることをさらに効果的に抑制することができる。したがって、集光部材９０は通過する光を集中させ輝度を向上させると同時に、通過した光が拡散するのに有利な状態にする。つまり、輝度特性をさらに向上させた光を提供することができる。
【０１０２】
以上のとおり、本発明の好ましい実施の形態について説明したが、本発明の権利範囲は特許請求の範囲の概念と範囲を逸脱しない限り、多様な修正及び変形が可能であるということを本発明が属する技術分野に従事する者は容易に理解できる。
【図面の簡単な説明】
【０１０３】
【図１】本発明の第１の実施の形態による集光部材の斜視図である。
【図２】図１の集光部材における単位集光部の変形された形状を示した断面図である。
【図３】図１の集光部材における単位集光部の変形された形状を示した断面図である。
【図４】図１の集光部材における単位集光部のパターンを具体的に示した平面図である。
【図５】図１の集光部材を含む本発明の第１実施例によるバックライトアセンブリーの分解斜視図である。
【図６】図５のバックライトアセンブリーを含む本発明の第１実施例による表示装置の分解斜視図である。
【図７】図４の表示装置のパネルアセンブリー及び、これを駆動する構成のブロック図である。
【図８】図５のパネルアセンブリーの一つの画素に対する等価回路図である。
【図９】本発明の第２の実施の形態による表示装置に備えられた集光部材において、単位集光部のパターンを具体的に示した平面図である。
【図１０】本発明の第３の実施の形態による表示装置に備えられた集光部材の斜視図である。
【図１１】本発明の第４の実施の形態による表示装置に備えられた集光部材の斜視図である。
【符号の説明】
【０１０４】
４１，４２    駆動印刷回路基板、
４３，４４    駆動ＩＣパッケージ、
５０    パネルアセンブリー、
５１    第１表示板、
５２    液晶層、
５３    第１表示板、
７０    バックライトアセンブリー、
７１    第１支持部材、
７５    第２支持部材、
７６    光源ユニット、
７８    反射シート、
８０    集光部材、
８１，９１    ボディー部、
８２，９２，９３，８２１    単位集光部、
８６    非集光領域、
９０    集光部材、
１００    表示装置、
４００    ゲート駆動部、
４４１    集積回路チップ、
５００    データ駆動部、
５１８    画素電極、
５３５    カラーフィルター、
５３９    共通電極、
６００    信号制御部、
７６１    チャンネル部、
８００    階調電圧生成部、
ＣＬＣ      液晶キャパシタ、
ＣＳＴ    維持キャパシタ、
Ｄ１−Ｄｍ    データライン、
Ｇ１−Ｇｎ    ゲートライン、
Ｑ    スイッチング素子、
Ｖｃｏｍ    共通電圧。
【図１】
2007025677.tif 000003
【図２】
2007025677.tif 000004
【図３】
2007025677.tif 000005
【図４】
2007025677.tif 000006
【図５】
2007025677.tif 000007
【図６】
2007025677.tif 000008
【図７】
2007025677.tif 000009
【図８】
2007025677.tif 000010
【図９】
2007025677.tif 000011
【図１０】
2007025677.tif 000012
【図１１】
2007025677.tif 000013